(57)【要約】【課題】電動圧縮機の制御装置において、部品点数の減少により製造コストを低減すると共に耐振動性の向上を図る。【解決手段】ハウジング１１内の下部に電動モータ用駆動回路の基板１２を固定して上面に電気端子１４ａ，１４ｂを装着する一方、ハウジング１１内の上部に積層型フィルムコンデンサ１５を固定して下部に接続端子１８ａ，１８ｂを装着し、各電気端子１４ａ，１４ｂに対して各接続端子１８ａ，１８ｂを対向して位置し、且つ、両者が接触した状態で固定する。【選択図】      図１
2005344689.tif 000002
【特許請求の範囲】
【請求項１】
圧縮部を駆動する電動モータを駆動制御するための電動圧縮機の制御装置であって、中空形状をなすハウジングと、該ハウジング内の一端部に前記電動モータ用駆動回路の基板が設けられる一方、前記ハウジング内の他端部に積層型フィルムコンデンサが設けられ、前記基板の電気端子が前記積層型フィルムコンデンサの接続端子に直接接続されたことを特徴とする電動圧縮機の制御装置。
【請求項２】
請求項１記載の電動圧縮機の制御装置において、前記基板の上面に前記電気端子が固定される一方、前記積層型フィルムコンデンサの下面に前記電気端子に対向して接触するように前記接続端子が設けられたことを特徴とする電動圧縮機の制御装置。
【請求項３】
請求項１記載の電動圧縮機の制御装置において、前記基板の端部に前記電気端子が固定される一方、前記積層型フィルムコンデンサの前記接続端子の先端部が前記基板の端部を挟持することで前記電気端子に接続されたことを特徴とする電動圧縮機の制御装置。
【請求項４】
請求項１から３のいずれか一つに記載の電動圧縮機の制御装置において、前記基板は下面が前記ハウジングの内壁面に支持部材を介して固定される一方、前記積層型フィルムコンデンサは直方体形状をなし、四隅が前記ハウジングの内壁面に形成された取付部に固定されたことを特徴とする電動圧縮機の制御装置。
【請求項５】
請求項１から４のいずれか一つに記載の電動圧縮機の制御装置において、前記基板は前記ハウジングの内壁面に形成された溝部に嵌合して保持されたことを特徴とする電動圧縮機の制御装置。
【請求項６】
請求項１記載の電動圧縮機の制御装置において、前記ハウジングは開口部を有して箱型をなす本体と、前記開口部を閉塞するように該本体に固定される蓋体とを有し、前記積層型フィルムコンデンサは、外周のフランジ部が前記本体と前記蓋体に挟まれて固定されたことを特徴とする電動圧縮機の制御装置。
【請求項７】
請求項１記載の電動圧縮機の制御装置において、前記ハウジングを冷却する冷却手段が設けられたことを特徴とする電動圧縮機の制御装置。
【請求項８】
請求項１記載の電動圧縮機の制御装置において、前記電気端子と前記接続端子の接続部に前記ハウジングから延出された伝熱部材が接続されたことを特徴とする電動圧縮機の制御装置。
【発明の詳細な説明】
【技術分野】
【０００１】
本発明は、圧縮部を電動モータにより駆動する電動圧縮機において、この電動モータを駆動制御する制御装置に関するものである。
【背景技術】
【０００２】
一般的な電動圧縮機において、圧縮機ハウジングの内部には、一端部に電動モータが配設され、他端部に圧縮機構が配設されており、電動モータと圧縮機構は、回転軸を介して互いに連動連結されている。即ち、電動モータは、ロータが回転軸に固定され、ステータがハウジングに圧入することによって固定されている。また、圧縮機構の一つであるスクロール型圧縮機構は、うず巻状ラップを有する固定スクロールと、うず巻状ラップを有する旋回スクロールとを有し、固定スクロールと旋回スクロールとを相互に所定距離だけ偏心させ、且つ、１８０度だけ角度をずらせて両者のうず巻状ラップを噛合させることで複数の圧縮室を形成している。
【０００３】
従って、電動モータを駆動すると、回転軸を介してスクロール型圧縮機構の旋回スクロールが駆動され、冷媒ガスがハウジング内の吸入室に取り込まれ、この冷媒ガスは各うず巻状ラップ間に形成した圧縮室で圧縮されてから吐出される。
【０００４】
このような電動圧縮機では、電動モータを駆動制御するためのモータ駆動回路を有する制御装置が必要であり、一般的に、この制御装置は圧縮機ハウジングの外部に隣接して、または、別体に設けられている。そして、電動圧縮機の制御装置は、インバータ回路を構成するパワー基板やコンデンサなどから構成されており、この電動圧縮機を車両に搭載して使用する場合、車両走行時の振動やエンジンからの熱が制御装置に悪影響を及ぼさないように十分注意する必要がある。また、電動圧縮機の制御装置は、通電時に発熱することから冷却装置が装備されている。
【０００５】
なお、空気調和機の室外機や室内機内の電装品箱に内装される電気部品の組立構造に関する従来技術として、例えば、下記特許文献１に記載されたものがあり、また、電動圧縮機におけるインバータ部のコンデンサを冷却する技術として、例えば、下記特許文献２に記載されたものがある。
【０００６】
【特許文献１】特開平１１−２８７５０６号公報
【特許文献２】特開２００２−１８８５７３号公報
【発明の開示】
【発明が解決しようとする課題】
【０００７】
ところで、上述した電動圧縮機を車両に搭載して使用する場合、車両振動が制御装置に悪影響を及ぼさないようにパワー基板やコンデンサなどを強固に固定する必要がある。そのため、制御装置における部品点数の増加や組付工数の増加を招いてしまい、製造コストが増加すると共にメンテナンス性が低下してしまうという問題がある。また、制御装置を外部の熱から保護するための隔離構造や冷却装置が必要であり、この点でも、構造が複雑化して製造コストが増加してしまうという問題がある。
【０００８】
なお、上述した特許文献１では、樹脂成形体から複合成形基板の一部を露出して弾性変形が生じる端子圧入部を形成し、この端子圧入部のリード端子を弾性復元力によって保持させることで、リード端子とリードフレームとを電気的に接続させるようにしているが、耐振動性に対する対策がなされていない。また、特許文献２では、コンデンサのケースを良熱伝導部材を通じてインバータ部の回路部品実装用のベースプレートに固定することで、平滑コンデンサをこのベースプレートの長溝を流れる低圧冷媒により冷却するようにしているが、特許文献１と同様に、耐振動性に対する対策がなされておらず、また、構造が複雑化してしまうという問題がある。
【０００９】
本発明は上述した課題を解決するものであり、部品点数の減少により製造コストを低減すると共に耐振動性の向上を図った電動圧縮機の制御装置を提供することを目的とする。
【課題を解決するための手段】
【００１０】
上記の目的を達成するための請求項１の発明の電動圧縮機の制御装置は、圧縮部を駆動する電動モータを駆動制御するための電動圧縮機の制御装置であって、中空形状をなすハウジングと、該ハウジング内の一端部に前記電動モータ用駆動回路の基板が設けられる一方、前記ハウジング内の他端部に積層型フィルムコンデンサが設けられ、前記基板の電気端子が前記積層型フィルムコンデンサの接続端子に直接接続されたことを特徴とするものである。
【００１１】
請求項２の発明の電動圧縮機の制御装置では、前記基板の上面に前記電気端子が固定される一方、前記積層型フィルムコンデンサの下面に前記電気端子に対向して接触するように前記接続端子が設けられたことを特徴としている。
【００１２】
請求項３の発明の電動圧縮機の制御装置では、前記基板の端部に前記電気端子が固定される一方、前記積層型フィルムコンデンサの前記接続端子の先端部が前記基板の端部を挟持することで前記電気端子に接続されたことを特徴としている。
【００１３】
請求項４の発明の電動圧縮機の制御装置では、前記基板は下面が前記ハウジングの内壁面に支持部材を介して固定される一方、前記積層型フィルムコンデンサは直方体形状をなし、四隅が前記ハウジングの内壁面に形成された取付部に固定されたことを特徴としている。
【００１４】
請求項５の発明の電動圧縮機の制御装置では、前記基板は前記ハウジングの内壁面に形成された溝部に嵌合して保持されたことを特徴としている。
【００１５】
請求項６の発明の電動圧縮機の制御装置では、前記ハウジングは開口部を有して箱型をなす本体と、前記開口部を閉塞するように該本体に固定される蓋体とを有し、前記積層型フィルムコンデンサは、外周のフランジ部が前記本体と前記蓋体に挟まれて固定されたことを特徴としている。
【００１６】
請求項７の発明の電動圧縮機の制御装置では、前記ハウジングを冷却する冷却手段が設けられたことを特徴としている。
【００１７】
請求項８の発明の電動圧縮機の制御装置では、前記電気端子と前記接続端子の接続部に前記ハウジングから延出された伝熱部材が接続されたことを特徴としている。
【発明の効果】
【００１８】
請求項１の発明の電動圧縮機の制御装置によれば、中空形状をなすハウジング内の一端部に電動モータ用駆動回路の基板を設ける一方、ハウジング内の他端部に積層型フィルムコンデンサを設け、基板の電気端子を積層型フィルムコンデンサの接続端子に直接接続したので、ハウジングの一端部に基板が固定され、他端部に積層型フィルムコンデンサが固定され、この基板の電気端子と積層型フィルムコンデンサの接続端子が直接接続させることとなり、部品点数の減少により製造コストを低減することができると共に、基板と積層型フィルムコンデンサとが一体となってハウジングに強固に支持されるため、耐振動性を向上することができる。
【００１９】
請求項２の発明の電動圧縮機の制御装置によれば、基板の上面に電気端子を固定する一方、積層型フィルムコンデンサの下面に電気端子に対向して接触するように接続端子を設けたので、基板と積層型フィルムコンデンサとをリード線や銅製の接続部材などを設けることなく容易に接続することができる。
【００２０】
請求項３の発明の電動圧縮機の制御装置によれば、基板の端部に電気端子を固定する一方、積層型フィルムコンデンサの接続端子の先端部が基板の端部を挟持することで電気端子に接続したので、基板は端部が積層型フィルムコンデンサの接続端子に支持されることとなり、耐振動性を向上することができる。
【００２１】
請求項４の発明の電動圧縮機の制御装置によれば、基板の下面をハウジングの内壁面に支持部材を介して固定する一方、積層型フィルムコンデンサを直方体形状として四隅をハウジングの内壁面に形成された取付部に固定したので、基板が支持部材を介してハウジングに固定され、積層型フィルムコンデンサの四隅がハウジングに固定されることとなり、この基板と積層型フィルムコンデンサを確実に支持して耐振動性を向上することができる。
【００２２】
請求項５の発明の電動圧縮機の制御装置によれば、基盤をハウジングの内壁面に形成された溝部に嵌合して保持したので、基板は端部がハウジングに支持されることとなり、耐振動性を向上することができる。
【００２３】
請求項６の発明の電動圧縮機の制御装置によれば、ハウジングを、開口部を有して箱型をなす本体と、開口部を閉塞するように本体に固定される蓋体とで構成し、積層型フィルムコンデンサの外周フランジ部を本体と蓋体に挟んで固定したので、積層型フィルムコンデンサの防水性を向上することができると共に、組付工数を減少することができる。
【００２４】
請求項７の発明の電動圧縮機の制御装置によれば、ハウジングを冷却する冷却手段を設けたので、ハウジングを介してモータ駆動回路を効率的に冷却することができる。
【００２５】
請求項８の発明の電動圧縮機の制御装置によれば、電気端子と接続端子の接続部にハウジングから延出された伝熱部材を接続したので、冷却面積を拡大することでモータ駆動回路の冷却効率を向上することができる。
【発明を実施するための最良の形態】
【００２６】
以下に添付図面を参照して、本発明に係る電動圧縮機の制御装置における好適な実施例を詳細に説明する。なお、この実施例によりこの発明が限定されるものではない。
【実施例１】
【００２７】
図１は、本発明の実施例１に係る電動圧縮機の制御装置の縦断面図、図２は、実施例１の電動圧縮機の制御装置の水平断面図である。
【００２８】
本実施例に用いられる電動圧縮機は、車両に搭載された空調装置の電動コンプレッサとして機能するものである。即ち、車両用空調装置は、電動圧縮機（電動コンプレッサ）とコンデンサと膨張弁とエバポレータとが冷媒配管により連結されて構成されており、この電動圧縮機はエンジンルーム内にてエンジンの近傍に配設されており、この電動圧縮機とは別体に、圧縮機構の電動モータを駆動制御する制御装置が配設されている。
【００２９】
従って、制御装置が電動圧縮機を駆動制御し、低圧の冷媒ガスを吸入して圧縮することで高温高圧の冷媒ガスとし、コンデンサはこの冷媒ガスを走行風やファンによって冷却することで液化し、膨張弁はこの高圧の液冷媒を急激に膨張して霧化しやすくし、エバポレータは周囲のフィンにより気体から熱を奪って冷却風を生成する一方、液冷媒が熱を大量に奪って再び低圧の冷媒ガスとなり、電動圧縮機に戻される。
【００３０】
上述した本実施例の電動圧縮機の制御装置において、図１及び図２に示すように、ハウジング１１は中空形状をなし、図示しないが開口部を有する箱体と蓋体とから構成されている。このハウジング１１内の下部には、基板１２が円筒形状をなす複数のスペーサ（支持部材）１３により水平状態をもって載置され、図示しない固定ボルトによりハウジング１１に固定されている。この基板１２は、電動圧縮機の電動モータ用駆動回路を構成するものであり、処理装置１２ａや制御回路１２ｂが装着されると共に、側部に電気端子１４ａ，１４ｂが装着されている。
【００３１】
また、ハウジング１１内の上部には、積層型フィルムコンデンサ１５が配設され、４つのフランジ部１５ａがハウジング１１の側壁に形成された各取付部１６上に載置され、固定ボルト１７により固定されている。この積層型フィルムコンデンサ１５は、プラスチックフィルムを誘電体に使用して何層にも積層した直方体形状をなし、下部に平板形状をなす２つの接続端子１８ａ，１８ｂが設けられている。
【００３２】
そして、基板１２の上面に設けられた各電気端子１４ａ，１４ｂに対して、積層型フィルムコンデンサ１５の下面に設けられた各接続端子１８ａ，１８ｂが対向するように位置し、且つ、両者が接触した状態で止めビス１９ａ，１９ｂにより固定されている。なお、この電気端子１４ａ，１４ｂと接続端子１８ａ，１８ｂの接続部に絶縁が必要である場合には、絶縁剤を塗布したり、絶縁シートを貼り付ける。
【００３３】
また、ハウジング１１の下部に隣接してこのハウジング１１を冷却する冷却手段としての放熱フィン２０が設けられている。従って、電動モータ用駆動回路に通電したときに発生する熱をこの放熱フィン２０によりハウジング１１から取り除いて冷却することができる。
【００３４】
このように実施例１の電動圧縮機の制御装置にあっては、ハウジング１１内の下部に電動モータ用駆動回路の基板１２を固定して上面に電気端子１４ａ，１４ｂを装着する一方、ハウジング１１内の上部に積層型フィルムコンデンサ１５を固定して下部に接続端子１８ａ，１８ｂを装着し、各電気端子１４ａ，１４ｂに対して各接続端子１８ａ，１８ｂを対向して位置し、且つ、両者が接触した状態で固定している。
【００３５】
従って、基板１２がハウジング１１の下部に固定される一方、積層型フィルムコンデンサ１５の四隅がハウジング１１の上部に固定され、更に、両者の電気端子１４ａ，１４ｂと接続端子１８ａ，１８ｂが接続状態で固定されることとなり、この基板１２と積層型フィルムコンデンサ１５を確実に支持することができ、耐振動性を向上することができる。
【００３６】
また、基板１２の電気端子１４ａ，１４ｂと積層型フィルムコンデンサ１５の接続端子１８ａ，１８ｂを直接接続しており、別途、リード線や銅製の接続部材などが不要となって、部品点数や組付工数を減少することで製造コストを低減することができると共に、抵抗による損失を低減し、耐リップル性を向上することができる。更に、ハウジング１１と一体に放熱フィン２０が設けられており、基板１２や積層型フィルムコンデンサ１５からの発熱を抑制することができる。そのため、大電流を流す制御装置の場合には、発熱の抑制が顕著なものとなり、効率及び信頼性を向上することができる。
【実施例２】
【００３７】
図３は、本発明の実施例２に係る電動圧縮機の制御装置の縦断面図、図４は、実施例２の電動圧縮機の制御装置の水平断面図である。なお、前述した実施例で説明したものと同様の機能を有する部材には同一の符号を付して重複する説明は省略する。
【００３８】
実施例２の電動圧縮機の制御装置において、図３及び図４に示すように、ハウジング１１の下部に基板１２が複数のスペーサ１３を介して固定され、この基板１２の上面部の側部に電気端子１４ａ，１４ｂが装着されている。また、ハウジング１１の上部に積層型フィルムコンデンサ１５が配設され、各フランジ部１５ａがハウジング１１の各取付部１６に固定され、下部に接続端子１８ａ，１８ｂが設けられている。そして、基板１２の各電気端子１４ａ，１４ｂと積層型フィルムコンデンサ１５の各接続端子１８ａ，１８ｂが接続した状態で固定されている。
【００３９】
ハウジング１１の下部には、このハウジング１１を冷却するための放熱フィン２０が一体に設けられている。また、ハウジング１１の内壁面には、上述した電気端子１４ａ，１４ｂと接続端子１８ａ，１８ｂとの接続部に対応して、その上方に平板形状をなす伝熱部材２１ａ，２１ｂが一体に形成されており、接続端子１８ａ，１８ｂ（または、電気端子１４ａ，１４ｂ）に接続されている。なお、ハウジング１１及び伝熱部材２１ａ，２１は、アルミニウムなどの伝熱効率の高い材料で製作することが望ましい。
【００４０】
従って、電動モータ用駆動回路に通電したときに、基板１２や積層型フィルムコンデンサ１５から発生する熱は、この放熱フィン２０によりハウジング１１を介してから冷却されることとなる。この場合、ハウジング１１と一体の伝熱部材２１ａ，２１ｂが積層型フィルムコンデンサ１５の接続端子１８ａ，１８ｂに接触しているため、発熱部を直接冷却することができる。
【００４１】
このように実施例２の電動圧縮機の制御装置にあっては、ハウジング１１内に電動モータ用駆動回路の基板１２と積層型フィルムコンデンサ１５を収容し、このハウジング１１と一体に放熱フィン２０を設けると共に、ハウジング１１の内壁面に一体に形成された伝熱部材２１ａ，２１ｂの先端部を積層型フィルムコンデンサ１５の接続端子１８ａ，１８ｂに接触させている。従って、ハウジング１１の内部にある発熱部を伝熱部材２１ａ，２１ｂにより直接冷却することができ、冷却効率を向上することができる。
【００４２】
なお、この実施例２では、ハウジング１１の内壁面から伝熱部材２１ａ，２１ｂを延出して先端部を接続端子１８ａ，１８ｂに接触するように接続したが、伝熱部材２１ａ，２１ｂの先端部を電気端子１４ａ，１４ｂに接続しても良い。また、伝熱部材２１ａ，２１ｂの形状を平板形状としたが、これに限るものではない。
【実施例３】
【００４３】
図５は、本発明の実施例３に係る電動圧縮機の制御装置の縦断面図、図６は、実施例３の電動圧縮機の制御装置の水平断面図である。なお、前述した実施例で説明したものと同様の機能を有する部材には同一の符号を付して重複する説明は省略する。
【００４４】
実施例３の電動圧縮機の制御装置において、図５及び図６に示すように、ハウジング１１の下部に基板１２が複数のスペーサ１３を介して固定され、この基板１２の上面部の側部に電気端子３１ａ，３１ｂが装着されている。また、ハウジング１１の上部に積層型フィルムコンデンサ１５が配設され、各フランジ部１５ａがハウジング１１の各取付部１６に固定され、下側部にＬ字形状をなす接続端子３２ａ，３２ｂが設けられている。この接続端子３２ａ，３２ｂは、先端部が上下に対向する上挟持片３３ａと下挟持片３３ｂとにより二股形状をなし、基板１２の端部を挟持することで各電気端子３１ａ，３１ｂに接続した状態で固定されている。なお、接続端子３２ａ，３２ｂの各挟持片３３ａ，３３ｂと基板１２の端部とは、圧入、かしめ、ビス止めなどで接続すればよい。
【００４５】
従って、この実施例３の電動圧縮機の制御装置にあっては、基板１２がハウジング１１の下部に固定される一方、積層型フィルムコンデンサ１５の四隅がハウジング１１の上部に固定され、更に、積層型フィルムコンデンサ１５の接続端子３２ａ，３２ｂの先端部が基板１２の端部を挟持して電気端子３１ａ，３１ｂに接続されている。そのため、この基板１２と積層型フィルムコンデンサ１５を確実に支持することができると共に、接続端子３２ａ，３２ｂにより基板１２の端部を支持することができ、耐振動性を向上することができる。
【００４６】
なお、積層型フィルムコンデンサ１５の接続端子３２ａ，３２ｂをＬ字形状とし、先端部に上下に対向する上挟持片３３ａ及び下挟持片３３ｂを形成して構成したが、この構造に限るものではない。例えば、積層型フィルムコンデンサ１５における接続端子３２ａ，３２ｂの上挟持片３３ａと下挟持片３３ｂをその幅方向にずらして形成したり、一つの上挟持片３３ａに対して２つの下挟持片３３ｂを設けるなど、基板１１の形状や電気端子３１ａ，３１ｂの位置関係に応じて適宜設定すればよいものである。
【実施例４】
【００４７】
図７は、本発明の実施例４に係る電動圧縮機の制御装置の縦断面図である。なお、前述した実施例で説明したものと同様の機能を有する部材には同一の符号を付して重複する説明は省略する。
【００４８】
実施例４の電動圧縮機の制御装置において、図７に示すように、ハウジング１１の下部に基板４１が複数のスペーサ１３を介して固定されている。この場合、基板４１は、その幅がハウジング１１の内部の幅よりも若干大きく設定されており、各端部４１ａがハウジング１１の内壁面に形成された水平な溝部４２に嵌合している。そして、この基板４１の上面部の側部に電気端子１４ａ，１４ｂが装着されている。また、ハウジング１１の上部に積層型フィルムコンデンサ１５が配設され、各フランジ部１５ａがハウジング１１の各取付部１６に固定され、下部に接続端子１８ａ，１８ｂが設けられている。そして、基板４２の各電気端子１４ａ，１４ｂと積層型フィルムコンデンサ１５の各接続端子１８ａ，１８ｂが接続した状態で固定されている。
【００４９】
従って、この実施例４の電動圧縮機の制御装置にあっては、基板４１がハウジング１１の下部に固定されると共に端部４１ａが溝部４２に嵌合して固定される一方、積層型フィルムコンデンサ１５の四隅がハウジング１１の上部に固定され、更に、積層型フィルムコンデンサ１５の接続端子１８ａ，１８ｂが基板４１の電気端子１４ａ，１４ｂに接続されている。そのため、この基板４１の下面と外周端部を強固にハウジング１１に支持することができ、基板４１の触れを抑制して耐振動性を更に向上することができる。
【００５０】
なお、この実施例４では、基板４１の端部４１ａをハウジング１１の溝部４２に嵌合してこていしたが、この場合、ハウジング１１を左右または前後に２分割し、基板４１の端部４１ａをハウジング１１の溝部４２にスライドして嵌合すればよい。
【実施例５】
【００５１】
図８は、本発明の実施例５に係る電動圧縮機の制御装置の縦断面図である。なお、前述した実施例で説明したものと同様の機能を有する部材には同一の符号を付して重複する説明は省略する。
【００５２】
実施例５の電動圧縮機の制御装置において、図８に示すように、ハウジング１１の下部に基板４１が支持台（支持部材）５１を介して載置されて固定されると共に、各端部４１ａがハウジング１１の溝部４２に嵌合している。そして、この基板４１の上面部の側部に電気端子１４ａ，１４ｂが装着されている。また、ハウジング１１の上部に積層型フィルムコンデンサ１５が配設され、各フランジ部１５ａがハウジング１１の各取付部１６に固定され、下部に接続端子１８ａ，１８ｂが設けられている。そして、基板４２の各電気端子１４ａ，１４ｂと積層型フィルムコンデンサ１５の各接続端子１８ａ，１８ｂが接続した状態で固定されている。
【００５３】
従って、この実施例５の電動圧縮機の制御装置にあっては、基板４１が支持台５１を介してハウジング１１の下部に固定されると共に端部４１ａが溝部４２に嵌合して固定される一方、積層型フィルムコンデンサ１５の四隅がハウジング１１の上部に固定され、更に、積層型フィルムコンデンサ１５の接続端子１８ａ，１８ｂが基板４１の電気端子１４ａ，１４ｂに接続されている。そのため、この基板４１の下面と外周端部を強固にハウジング１１に支持することができ、基板４１の触れを抑制して耐振動性を更に向上することができる。
【００５４】
なお、この実施例５にて、基板４１が支持台５１を介してハウジング１１の下部に固定されているが、この支持台５１はハウジング１１に対して一体に形成しても、別体に固定しても良い。
【実施例６】
【００５５】
図９は、本発明の実施例６に係る電動圧縮機の制御装置の縦断面図である。なお、前述した実施例で説明したものと同様の機能を有する部材には同一の符号を付して重複する説明は省略する。
【００５６】
実施例６の電動圧縮機の制御装置において、図９に示すように、ハウジング６１は中空形状をなし、上方に開口部を有する箱型の本体６２と、この開口部を閉塞するように本体６２に固定される蓋体６３とから構成されている。そして、このハウジング６１内の下部に基板１２が複数のスペーサ１３を介して固定され、上面の側部に電気端子１４ａ，１４ｂが装着されている。
【００５７】
積層型フィルムコンデンサ６４は外周部にフランジ部６４ａが一体に形成されており、ハウジング６１の本体６２の上部に載置され、この積層型フィルムコンデンサ６４の上部に蓋体６３が載置されている。そして、本体６２の上面と蓋体６３の下面にはシール部材６５，６６が全周にわたって装着されており、各シール部材６５，６６は積層型フィルムコンデンサ６４のフランジ部６４ａの上下面に接触して防水性を確保しており、図示しない固定ボルト１７により積層型フィルムコンデンサ６４が本体６２と蓋体６３とに挟持されて固定されている。この積層型フィルムコンデンサ６４は下部に平板形状をなす２つの接続端子１８ａ，１８ｂが設けられており、基板１２の電気端子１４ａ，１４ｂがこの接続端子１８ａ，１８ｂに接続されている。
【００５８】
従って、この実施例６の電動圧縮機の制御装置にあっては、ハウジング６１を本体６２と蓋体６３とから構成し、積層型フィルムコンデンサ６４のフランジ部６４ａを本体６２と蓋体６３とにより挟持し、その間にシール部材６５，６６を介装して固定している。そのため、積層型フィルムコンデンサ６４を容易にハウジング６１に固定することができると共に、防水性を向上することができる。
【００５９】
なお、上述した各実施例にて、ハウジング内にて、下部に基板を固定して上部に積層型フィルムコンデンサを固定したが、両者の位置関係は上下に限定されるものではなく、基板と積層型フィルムコンデンサを逆に設けたり、左右または前後に対向して設けても良い。また、基板に設けられた電気端子や積層型フィルムコンデンサに設けられた接続端子の位置も、上述の各実施例に限定されるものではない。
【産業上の利用可能性】
【００６０】
本発明に係る電動圧縮機の制御装置は、電動モータ用駆動回路の基板と積層型フィルムコンデンサとを直接接続することで製造コストを低減するものであり、いずれの種類の電動圧縮機にも適用することができる。
【図面の簡単な説明】
【００６１】
【図１】本発明の実施例１に係る電動圧縮機の制御装置の縦断面図である。
【図２】実施例１の電動圧縮機の制御装置の水平断面図である。
【図３】本発明の実施例２に係る電動圧縮機の制御装置の縦断面図である。
【図４】実施例２の電動圧縮機の制御装置の水平断面図である。
【図５】本発明の実施例３に係る電動圧縮機の制御装置の縦断面図である。
【図６】実施例３の電動圧縮機の制御装置の水平断面図である。
【図７】本発明の実施例４に係る電動圧縮機の制御装置の縦断面図である。
【図８】本発明の実施例５に係る電動圧縮機の制御装置の縦断面図である。
【図９】本発明の実施例６に係る電動圧縮機の制御装置の縦断面図である。
【符号の説明】
【００６２】
１１，６１  ハウジング
１２，４１  基板
１３  スペーサ（支持部材）
１４ａ，１４ｂ，３１ａ，３１ｂ  電気端子
１５，６４  積層型フィルムコンデンサ
１８ａ，１８ｂ，３２ａ，３２ｂ  接続端子
２０  放熱フィン（冷却手段）
２１ａ，２１ｂ  伝熱部材
４２  溝部
５１  支持台（支持部材）
６２  箱体
６３  蓋体
【図１】
2005344689.tif 000003
【図２】
2005344689.tif 000004
【図３】
2005344689.tif 000005
【図４】
2005344689.tif 000006
【図５】
2005344689.tif 000007
【図６】
2005344689.tif 000008
【図７】
2005344689.tif 000009
【図８】
2005344689.tif 000010
【図９】
2005344689.tif 000011